(57)【要約】【課題】折り目線部の形状の崩れのないプリーツ織製品及びその織成方法を提供すること、熱処理等の工程を不要とすることにより、生産工程を簡略化でき、製品化コストを低減しうるプリーツ織製品及びその織成方法を提供すること。【解決手段】複数の縦糸と複数の横糸を交差させることにより織り布が織成され、上記縦糸方向に沿って形成された複数の折り目線部と上記複数の折り目線部により区分けされた所定の幅寸法を有する複数の折り部とを有し、上記折り部を上記複数の折り目線部に沿って厚さ方向に交互に折り曲げることにより形成されたプリーツ織製品であって、上記複数の横糸は、上記折り目線部を形成しうると共に張力により横糸の長さ方向に沿って収縮する張力を発生させうる横糸を有し、上記横糸の張力により上記複数の縦糸が上記横糸方向に沿う方向に引き寄せられて上記折り目線部を形成しうる。【選択図】図１
2010106386.tif 000002
【特許請求の範囲】
【請求項１】
複数の縦糸と複数の横糸を交差させることにより織り布が織成され、上記縦糸方向に沿って形成された複数の折り目線部と上記複数の折り目線部により区分けされた所定の幅寸法を有する複数の折り部とを有し、上記折り部を上記複数の折り目線部に沿って厚さ方向に交互に折り曲げることにより形成されたプリーツ織製品であって、
上記複数の横糸は、上記折り目線部を形成しうると共に張力により横糸の長さ方向に沿って収縮する張力を発生させうる横糸を有し、上記横糸の張力により上記複数の縦糸が上記横糸方向に沿う方向に引き寄せられて上記折り目線部を形成しうることを特徴とするプリーツ織製品。
【請求項２】
上記横糸は、上記複数の縦糸に対して交互に交差するように配置された上記横糸の長さ方向に沿って収縮する張力を発生させない横糸を有し、
上記収縮する張力を発生させうる横糸は、上記折り目線部が形成される部位において、上記縦糸に交差しない状態で上記織り布の一方の面部に配置され、
上記織り布の一方の面部に配置された複数の上記横糸が長さ方向に収縮することにより、交差しない縦糸が上記織り布の他方の面部方向へ突出することによりプリーツが形成されることを特徴とする請求項１記載のプリーツ織製品。
【請求項３】
上記収縮する張力を発生させうる横糸と、上記収縮する張力を発生させうる横糸に近接して配置された上記収縮する張力を発生させない横糸とが所定の本数の組み合わせにより一組の横糸として形成され、上記一組の横糸が上記縦糸の長さ方向全域に亘って連続して配置されることにより形成されることを特徴とする請求項２記載のプリーツ織製品。
【請求項４】
所定の本数の上記収縮する張力を発生させうる横糸と、上記所定の本数の収縮する張力を発生させうる横糸に近接して配置された所定の本数の上記収縮する張力を発生させない横糸との比率において、上記収縮する張力を発生させうる横糸の本数の比率が大きいことを特徴とする請求項３記載のプリーツ織製品。
【請求項５】
上記収縮する張力を発生させうる横糸は、伸縮しうるストレッチ糸により形成され、上記ストレッチ糸の張力により収縮させうることを特徴とする請求項１〜４のいずれか１項に記載のプリーツ織製品。
【請求項６】
上記収縮する張力を発生させうる横糸は、上記収縮する張力を発生させない横糸より短い長さ寸法により形成されていることを特徴とする請求項２記載のプリーツ織製品。
【請求項７】
上記複数の縦糸は、上記複数の縦糸の間隔寸法が近接して配置される部位と上記縦糸が配置されずに所定間隔寸法おいて配置される間隙幅部とを形成し、上記間隙幅部に上記収縮する張力を発生させうる横糸を配置し、上記間隙幅部において上記収縮する張力を発生させうる横糸の張力により上記折り目線部が形成されることを特徴とする請求項１〜６のいずれか１項に記載のプリーツ織製品。
【請求項８】
多層織りに織成された無縫製かつ無裁断に形成され、
互いに対向する一対の織り布の両端部が開放され、一方の織り布は前身頃となると共に他方の織り布は後身頃となり、全体としてスカートを構成しうることを特徴とする請求項１〜７のいずれか１項に記載のプリーツ織製品。
【請求項９】
同一の幅寸法に形成された複数の上記折り部を有することを特徴とする請求項１〜８のいずれか１項に記載のプリーツ織製品。
【請求項１０】
細幅状の細幅折り部と、上記細幅折り部より幅広状に形成された広幅折り部とを有し、上記細幅折り部は上記折れ目線部を介して上記広幅折り部に連携されて織成されていることを特徴とする請求項１〜８のいずれか１項に記載のプリーツ織製品。
【請求項１１】
上記折り目線部が形成される部位における所定の本数の縦糸に任意の色彩が施されていることを特徴とする請求項１〜１０のいずれか１項に記載のプリーツ織製品。
【請求項１２】
複数の縦糸を平行に配置する工程と、上記複数の縦糸に対して横糸を交差させて配置する工程とを有し、上記縦糸方向に沿って形成された複数の折り目線部により区分けされた所定の幅寸法を有する複数の折り部を上記複数の折り目線部に沿って厚さ方向に交互に折り曲げる工程とを有するプリーツ織製品の織成方法であって、
上記複数の横糸は、上記折り目線部を形成しうると共に張力により横糸の長さ方向に沿って収縮する張力を発生させうる横糸を有し、上記横糸の張力により上記縦糸が上記横糸方向に沿う方向に引き寄せられて上記折り目線部を形成することを特徴とするプリーツ織製品の織成方法。
【請求項１３】
上記横糸は、上記複数の縦糸に対して交互に交差するように配置された上記横糸の長さ方向に沿って収縮する張力を発生させない横糸を有し、
上記収縮する張力を発生させうる横糸は、上記折り目線部が形成される部位において、上記縦糸に交差しない状態で上記織り布の一方の面部に配置され、
上記織り布の一方の面部に配置された複数の上記横糸が長さ方向に収縮することにより、交差しない縦糸が上記織り布の他方の面部方向へ突出することによりプリーツを形成することを特徴とする請求項１２記載のプリーツ織製品の織成方法。
【請求項１４】
上記収縮する張力を発生させうる横糸と、上記収縮する張力を発生させうる横糸に近接して配置された上記収縮する張力を発生させない横糸とが所定の本数の組み合わせにより一組の横糸として形成され、上記一組の横糸が上記縦糸の長さ方向全域に亘って連続して配置されることにより形成することを特徴とする請求項１３記載のプリーツ織製品の織成方法。
【請求項１５】
所定の本数の上記収縮する張力を発生させうる横糸と、上記所定の本数の収縮する張力を発生させうる横糸に近接して配置された所定の本数の上記収縮する張力を発生させない横糸との比率において、上記収縮する張力を発生させうる横糸の本数の比率が大きいことを特徴とする請求項１４記載のプリーツ織製品の織成方法。
【請求項１６】
上記収縮する張力を発生させうる横糸は、伸縮しうるストレッチ糸により形成され、上記ストレッチ糸の張力により収縮させうることを特徴とする請求項１２〜１５のいずれか１項に記載のプリーツ織製品の織成方法。
【請求項１７】
上記収縮する張力を発生させうる横糸は、上記収縮する張力を発生させない横糸より短い長さ寸法により形成されていることを特徴とする請求項１３記載のプリーツ織製品の織成方法。
【請求項１８】
上記複数の縦糸は、上記複数の縦糸の間隔寸法が近接して配置される部位と上記縦糸が配置されずに所定間隔寸法おいて配置される間隙幅部とを形成し、上記間隙幅部に上記収縮する張力を発生させうる横糸を配置し、上記間隙幅部において上記収縮する張力を発生させうる横糸の張力により上記折り目線部を形成することを特徴とする請求項１２〜１７記載のプリーツ織製品の織成方法。
【請求項１９】
多層織りに織成された無縫製かつ無裁断に形成され、
互いに対向する一対の織り布の両端部が開放され、一方の織り布は前身頃となると共に他方の織り布は後身頃となり、全体としてスカートを構成しうることを特徴とする請求項１２〜１８記載のプリーツ織製品の織成方法。
【請求項２０】
同一の幅寸法に形成された複数の上記折り部を有することを特徴とする請求項１２〜１９のいずれか１項に記載のプリーツ織製品の織成方法。
【請求項２１】
細幅状の細幅折り部と、上記細幅折り部より幅広状に形成された広幅折り部とを有し、上記細幅折り部は上記折れ目線部を介して上記広幅折り部に連携されて織成することを特徴とする請求項１２〜１９のいずれか１項に記載のプリーツ織製品の織成方法。
【請求項２２】
上記折り目線部が形成される部位における所定の本数の縦糸に任意の色彩を施すことを特徴とする請求項１２〜２１記載のプリーツ織製品の織成方法。
【発明の詳細な説明】
【技術分野】
【０００１】
本発明はプリーツ織製品及びその織成方法に係り、特に、折り目線部を織成により形成することにより、折り目線部が崩れ難いプリーツ織製品及びその織成方法に関する。
【０００２】
従来より、複数の折り目線部が施されたプリーツ製品において、折り目線部の形状を固定する様々な技術が提案されている。
例えば、熱可塑性を有するポリエステル繊維に熱処理を施すことにより縦方向に折り畳んで形成されたプリーツの折り目線部を固定する方法が提案されている（特許文献１、特許文献２）。
特許文献１及び２における技術においては、折り目線部はポリエステル繊維素材により形成されているため、耐久性・取り扱いに優れているが、ポリエステル繊維素材等の熱可塑性繊維に限定され、更に熱処理を施す必要性がある。
また、天然繊維素材等の熱可塑性を有さない素材に関しては、熱を加えるのみでは耐久性のあるプリーツ加工を施すことが困難であることが多いことから、薬剤を使用すると共に熱処理を施すことにより、折り目線部の形状を固定する技術が提案されている（特許文献３、特許文献４）。
即ち、特許文献１〜４に記載されている技術においては、熱処理工程が必要であることから、設備コストが嵩むと共に温度条件の管理が必要であり煩雑である。
また、特許文献１及び２に記載されている技術においては、熱可塑性を有する素材に限定されるため、様々な繊維素材に適用することが困難であると共に、上記熱処理工程の温度以上の温度がプリーツ製品に加えられた場合にはプリーツが消失してしまう場合がある。
また、特許文献３及び４に記載されている薬剤を使用して熱処理工程により折り目線部を固定する場合には、薬品処理工程を必要とするため、設備コストが嵩む可能性がある。また、折り目線部が度重なる着座やクリーニング等で薄れ易いことから、２〜３シーズンで折り目線部の崩れたプリーツ製品となる可能性がある。
従って、折り目線部の形状が崩れ難く、設備コストが低減でき、容易に作製できるプリーツ製品が望まれている。
【０００３】
【特許文献１】特開平９−３１０２４６号
【特許文献２】特開２００８−７８７９号
【特許文献３】特開平１０−２５９５７０号
【特許文献４】特開２００３−１５５６５９号
【発明の開示】
【発明が解決しようとする課題】
【０００４】
そこで本発明の課題は、折り目線部の形状の崩れのないプリーツ織製品及びその織成方法を提供すること、熱処理等の工程を不要とすることにより、生産工程を簡略化でき、製品化コストを低減しうるプリーツ織製品及びその織成方法を提供することにある。
【課題を解決するための手段】
【０００５】
このような課題を解決するために、請求項１記載の発明に係るプリーツ織製品は、複数の縦糸と複数の横糸を交差させることにより織り布が織成され、上記縦糸方向に沿って形成された複数の折り目線部と上記複数の折り目線部により区分けされた所定の幅寸法を有する複数の折り部とを有し、上記折り部を上記複数の折り目線部に沿って厚さ方向に交互に折り曲げることにより形成されたプリーツ織製品であって、上記複数の横糸は、上記折り目線部を形成しうると共に張力により横糸の長さ方向に沿って収縮する張力を発生させうる横糸を有し、上記横糸の張力により上記複数の縦糸が上記横糸方向に沿う方向に引き寄せられて上記折り目線部を形成しうることを特徴とする。
また、請求項１２記載の発明に係るプリーツ織製品の織成方法にあっては、複数の縦糸を平行に配置する工程と、上記複数の縦糸に対して横糸を交差させて配置する工程とを有し、上記縦糸方向に沿って形成された複数の折り目線部により区分けされた所定の幅寸法を有する複数の折り部を上記複数の折り目線部に沿って厚さ方向に交互に折り曲げる工程とを有するプリーツ織製品の織成方法であって、上記複数の横糸は、上記折り目線部を形成しうると共に張力により横糸の長さ方向に沿って収縮する張力を発生させうる横糸を有し、上記横糸の張力により上記縦糸が上記横糸方向に沿う方向に引き寄せられて上記折り目線部を形成することを特徴とする。
【０００６】
従って、請求項１記載の発明に係るプリーツ織製品及び請求項１２記載の発明に係るプリーツ織製品の織成方法にあっては、上記複数の横糸は、上記折り目線部を形成しうると共に張力により横糸の長さ方向に沿って収縮する張力を発生させうる横糸を有し、上記横糸の張力により上記複数の縦糸が上記横糸方向に沿う方向に引き寄せられて上記折り目線部を形成しうることから、折り目線部の形状の崩れを招来しない。
また、複数の縦糸と複数の横糸を交差させることにより織り布が織成され、上記縦糸方向に沿って形成された複数の折り目線部と上記複数の折り目線部により区分けされた所定の幅寸法を有する複数の折り部とを有し、上記折り部を上記複数の折り目線部に沿って厚さ方向に交互に折り曲げることにより形成されたプリーツ織製品及び織成方法であることから、熱処理工程や薬剤処理工程を必要としない。
また、繊維素材を熱可塑性を有するポリエステル繊維素材等に限定せずに織成することができる。
【０００７】
請求項２記載の発明に係るプリーツ織製品は、上記横糸は、上記複数の縦糸に対して交互に交差するように配置された上記横糸の長さ方向に沿って収縮する張力を発生させない横糸を有し、上記収縮する張力を発生させうる横糸は、上記折り目線部が形成される部位において、上記縦糸に交差しない状態で上記織り布の一方の面部に配置され、上記織り布の一方の面部に配置された複数の上記横糸が長さ方向に収縮することにより、交差しない縦糸が上記織り布の他方の面部方向へ突出することによりプリーツが形成されることを特徴とする。
また、請求項１３記載の発明に係るプリーツ織製品の織成方法にあっては、上記横糸は、上記複数の縦糸に対して交互に交差するように配置された上記横糸の長さ方向に沿って収縮する張力を発生させない横糸を有し、上記収縮する張力を発生させうる横糸は、上記折り目線部が形成される部位において、上記縦糸に交差しない状態で上記織り布の一方の面部に配置され、上記織り布の一方の面部に配置された複数の上記横糸が長さ方向に収縮することにより、交差しない縦糸が上記織り布の他方の面部方向へ突出することによりプリーツを形成することを特徴とする。
【０００８】
従って、請求項２記載の発明に係るプリーツ織製品及び請求項１３記載の発明に係るプリーツ織製品の織成方法にあっては、上記収縮する張力を発生させうる横糸は、上記折り目線部が形成される部位において、上記縦糸に交差しない状態で上記織り布の一方の面部に配置され、上記織り布の一方の面部に配置された複数の上記横糸が長さ方向に収縮することにより、交差しない縦糸が上記織り布の他方の面部方向へ突出することによりプリーツが形成されることから、より折り目線部の形状の崩れを招来しない。
【０００９】
請求項３記載の発明に係るプリーツ織物品は、上記収縮する張力を発生させうる横糸と、上記収縮する張力を発生させうる横糸に近接して配置された上記収縮する張力を発生させない横糸とが所定の本数の組み合わせにより一組の横糸として形成され、上記一組の横糸が上記縦糸の長さ方向全域に亘って連続して配置されることにより形成されることを特徴とする。
また、請求項１４記載の発明に係るプリーツ織製品の織成方法にあっては、上記収縮する張力を発生させうる横糸と、上記収縮する張力を発生させうる横糸に近接して配置された上記収縮する張力を発生させない横糸とが所定の本数の組み合わせにより一組の横糸として形成され、上記一組の横糸が上記縦糸の長さ方向全域に亘って連続して配置されることにより形成することを特徴とする。
【００１０】
従って、請求項３記載の発明に係るプリーツ織製品及び請求項１４記載の発明に係るプリーツ織製品の織成方法にあっては、上記一組の横糸が上記縦糸の長さ方向全域に亘って連続して配置されることにより形成されることから、上記縦糸の長さ方向全域に亘ってプリーツを形成することができる。
【００１１】
請求項４記載の発明に係るプリーツ織物品は、所定の本数の上記収縮する張力を発生させうる横糸と、上記所定の本数の収縮する張力を発生させうる横糸に近接して配置された所定の本数の上記収縮する張力を発生させない横糸との比率において、上記収縮する張力を発生させうる横糸の本数の比率が大きいことを特徴とする。
また、請求項１５記載の発明に係るプリーツ織製品の織成方法にあっては、所定の本数の上記収縮する張力を発生させうる横糸と、上記所定の本数の収縮する張力を発生させうる横糸に近接して配置された所定の本数の上記収縮する張力を発生させない横糸との比率において、上記収縮する張力を発生させうる横糸の本数の比率が大きいことを特徴とする。
【００１２】
従って、請求項４記載の発明に係るプリーツ織製品及び請求項１５記載の発明に係るプリーツ織製品の織成方法にあっては、上記収縮する張力を発生させうる横糸の本数の比率が大きいことから、上記収縮する張力を発生させうる横糸により引き寄せられる張力が強く、より互いに引き寄せられて角度の小さいとがった断面形状のプリーツを形成することができる。
【００１３】
請求項５記載の発明に係るプリーツ織物品は、上記収縮する張力を発生させうる横糸は、伸縮しうるストレッチ糸により形成され、上記ストレッチ糸の張力により収縮させうることを特徴とする。
また、請求項１６記載の発明に係るプリーツ織製品の織成方法にあっては、上記収縮する張力を発生させうる横糸は、伸縮しうるストレッチ糸により形成され、上記ストレッチ糸の張力により収縮させうることを特徴とする。
【００１４】
従って、請求項５記載の発明に係るプリーツ織製品及び請求項１６記載の発明に係るプリーツ織製品の織成方法にあっては、上記収縮する張力を発生させうる横糸は、伸縮しうるストレッチ糸により形成され、上記ストレッチ糸の張力により収縮させうることから、上記ストレッチ糸を上記横糸に使用することにより、容易にプリーツを形成することができる。
【００１５】
請求項６記載の発明に係るプリーツ織製品は、上記収縮する張力を発生させうる横糸は、上記収縮する張力を発生させない横糸より短い長さ寸法により形成されていることを特徴とする。
また、請求項１７記載の発明に係るプリーツ織製品の織成方法にあっては、上記収縮する張力を発生させうる横糸は、上記収縮する張力を発生させない横糸より短い長さ寸法により形成されていることを特徴とする。
【００１６】
従って、請求項６記載の発明に係るプリーツ織製品及び請求項１７記載の発明に係るプリーツ織製品の織成方法にあっては、上記収縮する張力を発生させうる横糸は、上記収縮する張力を発生させない横糸より短い長さ寸法により形成されていることから、短い長さ寸法により形成された上記収縮する張力を発生させうる横糸により、容易にプリーツを形成することができる。
【００１７】
請求項７記載の発明に係る織物製品は、上記複数の縦糸は、上記複数の縦糸の間隔寸法が近接して配置される部位と上記縦糸が配置されずに所定間隔寸法おいて配置される間隙幅部とを形成し、上記間隙幅部に上記収縮する張力を発生させうる横糸を配置し、上記間隙幅部において上記収縮する張力を発生させうる横糸の張力により上記折り目線部が形成されることを特徴とする。
また、請求項１８記載の発明に係るプリーツ織製品の織成方法にあっては、上記複数の縦糸は、上記複数の縦糸の間隔寸法が近接して配置される部位と上記縦糸が配置されずに所定間隔寸法おいて配置される間隙幅部とを形成し、上記間隙幅部に上記収縮する張力を発生させうる横糸を配置し、上記間隙幅部において上記収縮する張力を発生させうる横糸の張力により上記折り目線部を形成することを特徴とする。
【００１８】
従って、請求項７記載の発明に係るプリーツ織製品及び請求項１８記載の発明に係るプリーツ織製品の織成方法にあっては、上記間隙幅部に上記複数の縦糸が配置されていないことから、上記間隙幅部において上記間隙幅部の両端に隣接する縦糸が上記収縮する張力を発生させうる横糸の張力により互いに引き寄せられて角度の小さいとがった断面形状のプリーツを形成することができる。
【００１９】
請求項８記載の発明に係る織物製品は、多層織りに織成された無縫製かつ無裁断に形成され、互いに対向する一対の織り布の両端部が開放され、一方の織り布は前身頃となると共に他方の織り布は後身頃となり、全体としてスカートを構成しうることを特徴とする。
また、請求項１９記載の発明に係るプリーツ織製品の織成方法にあっては、多層織りに織成された無縫製かつ無裁断に形成され、互いに対向する一対の織り布の両端部が開放され、一方の織り布は前身頃となると共に他方の織り布は後身頃となり、全体としてスカートを構成しうることを特徴とする。
【００２０】
従って、請求項８記載の発明に係るプリーツ織製品及び請求項１９記載の発明に係るプリーツ織製品の織成方法にあっては、折り目線部の形状の崩れを招来しないプリーツスカートとして構成することができる。
【００２１】
請求項９記載の発明に係る織物製品は、同一の幅寸法に形成された複数の上記折り部を有することを特徴とする。
また、請求項２０記載の発明に係るプリーツ織製品の織成方法にあっては、同一の幅寸法に形成された複数の上記折り部を有することを特徴とする。
【００２２】
従って、請求項９記載の発明に係るプリーツ織製品及び請求項２０記載の発明に係るプリーツ織製品の織成方法にあっては、同一の幅寸法に形成された複数の折り部が折り目線部を介して連続して形成される。
【００２３】
請求項１０記載の発明に係る織物製品は、細幅状の細幅折り部と、上記細幅折り部より幅広状に形成された広幅折り部とを有し、上記細幅折り部は上記折れ目線部を介して上記広幅折り部に連携されて織成されていることを特徴とする。
また、請求項２１記載の発明に係るプリーツ織製品の織成方法にあっては、細幅状の細幅折り部と、上記細幅折り部より幅広状に形成された広幅折り部とを有し、上記細幅折り部は上記折れ目線部を介して上記広幅折り部に連携されて織成することを特徴とする。
【００２４】
従って、請求項１０記載の発明に係るプリーツ織製品及び請求項２１記載の発明に係るプリーツ織製品の織成方法にあっては、上記折り目線部に沿って折り曲げられることにより上記広幅折り部上に上記細幅折り部を重ねて配置することができる。
【００２５】
請求項１１記載の発明に係る織物製品は、上記折り目線部が形成される部位における所定の本数の縦糸に任意の色彩が施されていることを特徴とする。
また、請求項２２記載の発明に係るプリーツ織製品の織成方法にあっては、上記折り目線部が形成される部位における所定の本数の縦糸に任意の色彩を施すことを特徴とする。
【００２６】
従って、請求項１１記載の発明に係るプリーツ織製品及び請求項２２記載の発明に係るプリーツ織製品の織成方法にあっては、上記折り目線部が形成される部位における所定の本数の縦糸に任意の色彩が施されていることから、上記折り目線部に沿って折り曲げられた場合に、容易に上記折り目線部に沿って確実に色彩を施すことができる。
【発明の効果】
【００２７】
請求項１記載の発明に係るプリーツ織製品及び請求項１２記載の発明に係るプリーツ織製品の織成方法にあっては、上記複数の横糸は、上記折り目線部を形成しうると共に張力により横糸の長さ方向に沿って収縮する張力を発生させうる横糸を有し、上記横糸の張力により上記複数の縦糸が上記横糸方向に沿う方向に引き寄せられて上記折り目線部を形成しうることから、熱処理工程や薬剤処理工程が不要となり、生産工程を簡略化でき、製品化コストを低減しうるプリーツ織製品及びその織成方法を提供することができる。
その結果、熱処理工程における加熱温度以上の温度の環境下に置かれた場合であっても、折り目線部の形状の崩れを招来せず、耐久性を有するプリーツ織製品及びその織成方法を提供することができる。
また、繊維素材は、熱可塑性を有するポリエステル繊維素材等に限定されないことから、あらゆる繊維素材に適用できるプリーツ織製品及びその織成方法を提供することができる。
【００２８】
請求項２記載の発明に係るプリーツ織製品及び請求項１３記載の発明に係るプリーツ織製品の織成方法にあっては、上記収縮する張力を発生させうる横糸は、上記折り目線部が形成される部位において、上記縦糸に交差しない状態で上記織り布の一方の面部に配置され、上記織り布の一方の面部に配置された複数の上記横糸が長さ方向に収縮することにより、交差しない縦糸が上記織り布の他方の面部方向へ突出することによりプリーツが形成されることから、より折り目線部の形状の崩れを招来しないので、より耐久性を有するプリーツ織製品及びその織成方法を提供することができる。
【００２９】
請求項３記載の発明に係るプリーツ織製品及び請求項１４記載の発明に係るプリーツ織製品の織成方法にあっては、上記縦糸の長さ方向全域に亘ってプリーツを形成することができる耐久性を有するプリーツ織製品及びその織成方法を提供することができる。
【００３０】
請求項４記載の発明に係るプリーツ織製品及び請求項１５記載の発明に係るプリーツ織製品の織成方法にあっては、上記収縮する張力を発生させうる横糸の本数の比率が大きいことから、上記収縮する張力を発生させうる横糸により引き寄せられる張力が強く、より互いに引き寄せられて角度の小さいとがった断面形状のプリーツを形成することができる耐久性を有するプリーツ織製品及びその織成方法を提供することができる。
【００３１】
請求項５記載の発明に係るプリーツ織製品及び請求項１６記載の発明に係るプリーツ織製品の織成方法にあっては、上記収縮する張力を発生させうる横糸は、伸縮しうるストレッチ糸により形成され、上記ストレッチ糸の張力により収縮させうることから、上記ストレッチ糸を上記横糸に使用することにより、簡易な構成によりプリーツを形成することができ、容易に折り目線部の形状の崩れを招来しない耐久性を有するプリーツ織製品及びその織成方法を提供することができる。
【００３２】
請求項６記載の発明に係るプリーツ織製品及び請求項１７記載の発明に係るプリーツ織製品の織成方法にあっては、上記収縮する張力を発生させうる横糸は、上記収縮する張力を発生させない横糸より短い長さ寸法により形成されていることから、短い長さ寸法により形成された上記収縮する張力を発生させうる横糸により、簡易な構成によりプリーツを形成することができ、容易に折り目線部の形状の崩れを招来しない耐久性を有するプリーツ織製品及びその織成方法を提供することができる。
【００３３】
請求項７記載の発明に係るプリーツ織製品及び請求項１８記載の発明に係るプリーツ織製品の織成方法にあっては、上記複数の縦糸が配置されていない間隙幅部を形成することにより、上記間隙幅部において上記間隙幅部の両端に隣接する縦糸が上記収縮する張力を発生させうる横糸の張力により互いに引き寄せられて角度の小さいとがった断面形状のプリーツを形成することができる耐久性を有するプリーツ織製品及びその織成方法を提供することができる。
【００３４】
請求項８記載の発明に係るプリーツ織製品及び請求項１９記載の発明に係るプリーツ織製品の織成方法にあっては、折り目線部の形状の崩れを招来しない耐久性を有するプリーツスカート及びその織成方法を提供することができる。
【００３５】
請求項９記載の発明に係るプリーツ織製品及び請求項２０記載の発明に係るプリーツ織製品の織成方法にあっては、同一の幅寸法に形成された複数の折り部が折り目線部を介して連続して形成されることから、規則正しい等辺の耐久性を有するプリーツ織製品及びその織成方法を提供することができる。
【００３６】
請求項１０記載の発明に係るプリーツ織製品及び請求項２１記載の発明に係るプリーツ織製品の織成方法にあっては、上記折り目線部に沿って折り曲げられることにより上記広幅折り部上に上記細幅折り部を重ねて配置することができることから、例えば、スカートとして構成した場合には、上記広幅折り部上に上記細幅折り部が重って配置されることにより、プリーツを寝かせることができるので、例えば、着座の際に、上記折り目線部の形状の崩れをより低減させることができる耐久性を有するプリーツ織製品及びその織成方法を提供することができる。
【００３７】
請求項１１記載の発明に係るプリーツ織製品及び請求項２２記載の発明に係るプリーツ織製品の織成方法にあっては、上記折り目線部が形成される部位における所定の本数の縦糸に任意の色彩が施されていることから簡易な構成であると共に、上記折り目線部に沿って折り曲げられた場合に、容易に上記折り目線部に沿って色彩を施すことにより外観品質に優れ、かつ、耐久性を有するプリーツ織製品及びその織成方法を提供することができる。
【発明を実施するための最良の形態】
【００３８】
以下、図面に基づき本発明の実施の形態について説明する。
図１に示すように、本実施の形態に係るプリーツ織製品１０及びその織成方法は、図１０に示すように、複数の縦糸１１を平行に配置する工程と、上記複数の縦糸１１に対して略直角に横糸１２，１３を配置する工程とを有し、複数の縦糸１１と複数の横糸１２，１３を交差させることにより図１に示すような織り布１４が織成され、図１（ｄ）に示すように、上記縦糸１１方向に沿って形成された複数の折り目線部１５と上記複数の折り目線部１５により区分けされた所定の幅寸法を有する複数の折り部１６とを有し、上記折り部１６を上記複数の折り目線部１５に沿って厚さ方向に交互に折り曲げることにより形成されたプリーツ織製品１０である。
図１（ｂ）及び（ｃ）に示すように、上記複数の横糸１２，１３は、上記複数の縦糸１１の長さ方向に沿って交互に配置されている。
上記横糸１２は、上記折り目線部１５を形成しうると共に張力Ｔにより横糸１２，１３の長さ方向に沿って収縮する張力Ｔを発生させ、上記横糸１２の張力Ｔにより上記複数の縦糸１１が上記横糸１２方向に沿う方向に引き寄せられて上記折り目線部１５を形成しうるように構成されている。
また、図１（ａ）〜（ｃ）に示すように、上記横糸１３は、上記複数の縦糸１１に対して交互に交差するように配置された上記横糸１２，１３の長さ方向に沿って収縮する張力を発生させないように形成され、図１（ｂ）〜（ｄ）に示すように、上記収縮する張力Ｔを発生させうる横糸１２は、上記折り目線部１５が形成される部位において、上記縦糸１１に交差しない状態で上記織り布１４の一方の面部１７に配置され、上記織り布１４の一方の面部１７に配置された複数の上記横糸１２が長さ方向に収縮することにより、交差しない縦糸１１ｅ，１１ｆ，１１ｇ，１１ｎ，１１ｏ，１１ｐが上記織り布１４の他方の面部１８方向へ突出することによりプリーツ１９が形成されている。
また、図１及び図２に示すように、上記収縮する張力Ｔを発生させうる横糸１２と、上記収縮する張力を発生させうる横糸１２に近接して配置された上記収縮する張力を発生させない横糸１３とが所定の本数の組み合わせにより一組の横糸３５として形成され、上記一組の横糸３５が上記縦糸１１の長さ方向全域に亘って連続して配置されることにより形成されている。
また、図１及び図２に示すように、所定の本数の上記収縮する張力Ｔを発生させうる横糸１２と、上記所定の本数の収縮する張力Ｔを発生させうる横糸１２に近接して配置された所定の本数の上記収縮する張力を発生させない横糸１３との比率において、図１に示すような上記収縮する張力Ｔを発生させうる横糸１２の本数の比率が図２に示す場合に比して大きいように形成されている。
また、上記収縮する張力Ｔを発生させうる横糸１２は、伸縮しうるストレッチ糸により形成されていてもよく、この場合には、上記ストレッチ糸の張力Ｔにより収縮させうるように構成されている。
【００３９】
また、他の実施の形態においては、図３に示すように、上記収縮する張力Ｔを発生させうる横糸１２は、上記収縮する張力を発生させない横糸１３より短い長さ寸法により形成されている。
また、図４に示すように、上記複数の縦糸１１は、上記複数の縦糸１１の間隔寸法が近接して配置される部位２０と上記縦糸１１が配置されずに所定間隔寸法おいて配置される間隙幅部２１とを形成し、上記間隙幅部２１に上記収縮する張力Ｔを発生させうる横糸１２を配置し、上記間隙幅部２１において上記収縮する張力Ｔを発生させうる横糸１２の張力Ｔにより上記折り目線部１５が形成されている。
また、図６（ａ）〜（ｄ）に示すように、多層織りに織成された無縫製かつ無裁断に形成され、互いに対向する一対の織り布２２，２３の両端部２４，２５が開放され、一方の織り布２２は前身頃となると共に他方の織り布２３は後身頃となり、全体としてスカート２６を構成することができる。
また、図７（ｂ）及び図８に示すように、同一の幅寸法に形成された複数の上記折り部１６を有している。
また、他の実施の形態においては、図９に示すように、細幅状の細幅折り部２７と、上記細幅折り部２７より幅広状に形成された広幅折り部２８とを有し、上記細幅折り部２７は上記折れ目線部１５を介して上記広幅折り部２８に連携されて織成されている。
また、図５に示すように、上記折り目線部１５が形成される部位における所定の本数の縦糸１１に任意の色彩が施されている。
【実施例１】
【００４０】
以下に、本発明に係るプリーツ織製品１０及びその織成方法の実施例１について、図面を用いて詳細を説明する。
本発明に係るプリーツ織製品１０は、図１０に示すように、複数の縦糸１１を平行に配置する工程と、上記複数の縦糸１１に対して横糸１２，１３を交差させて配置する工程とを有し、図１（ａ）〜（ｄ）に示すように、上記縦糸１１方向に沿って形成された複数の折り目線部１５により区分けされた所定の幅寸法を有する複数の折り部１６を上記複数の折り目線部１５に沿って厚さ方向に交互に折り曲げる工程とを有し、図１（ａ）に示すように、複数の縦糸１１と複数の横糸１２，１３を交差させることにより織り布１４が織成されている。
また、本発明に係る織物製品１０を織成する場合には、まず、図１０に示すように、複数の縦糸１１が巻き付けられたビーム（図示せず）により供給された縦糸１１を縦方向に張り渡す。
そして、図１０に示すように、縦に張り渡された複数の縦糸１１を上下させて、横方向にシャトル２９に巻き付けられた横糸１２，１３を複数の縦糸１１に繰り返し通すことにより、複数の縦糸１１と複数の横糸１２，１３とを交差させて本発明に係るプリーツ織製品１０を織成する。
また、図１に示すように、上記縦糸１１方向に沿って形成された複数の折り目線部１５と上記複数の折り目線部１５により区分けされた所定の幅寸法を有する複数の折り部１６とを有し、図１（ｂ）及び（ｃ）に示すように、上記横糸１２の張力Ｔにより上記複数の縦糸１１が上記横糸１２方向に沿う方向に引き寄せられて上記折り目線部１５を形成しうるように構成されている。
また、上記折り部１６を上記複数の折り目線部１５に沿って厚さ方向に交互に折り曲げることにより図７〜図９に示すような、例えば、プリーツスカート３２，３４やカーテン３３等のプリーツ織製品１０が織成される。
また、図１に示すように、上記複数の横糸１２，１３は、上記折り目線部１５を形成しうると共に張力Ｔにより横糸１２，１３の長さ方向に沿って収縮する張力Ｔを発生させうる伸縮しうるストレッチ糸により形成された収縮する張力Ｔを発生させうる横糸１２と、上記複数の縦糸１１に対して交互に交差するように配置された上記横糸１２，１３の長さ方向に沿って収縮する張力を発生させない横糸１３とを有し、上記収縮する張力Ｔを発生させうる横糸１２は、上記折り目線部１５が形成される部位において、上記縦糸１１に交差しない状態で上記織り布１４の一方の面部１７に配置されている。
【００４１】
具体的には、本発明に係るプリーツ織製品１０の組織構造において、例えば、図１（ａ）に示すプリーツ織製品１０の横糸１２ａ方向に沿った断面においては、図１（ａ）及び（ｂ）に示すように、収縮する張力Ｔを発生させうる横糸１２ａは、縦糸１１ｂ，１１ｄ，１１ｈ，１１ｊ，１１ｌ，１１ｎ，１１ｏ，１１ｐ，１１ｒ，１１ｔの上側に配置され、縦糸１１ａ，１１ｃ，１１ｅ，１１ｆ，１１ｇ，１１ｉ，１１ｋ，１１ｍ，１１ｑ，１１ｓの下側に配置されている。
即ち、収縮する張力Ｔを発生させうる横糸１２ａは、縦糸１１ｅ，１１ｆ，１１ｇに交差せずに下側に配置され、縦糸１１ｎ，１１ｏ，１１ｐに交差せずに上側に配置され、その他の上記複数の縦糸１１に対しては交互に交差して配置されている。
また、上記収縮する張力Ｔを発生させうる横糸１２ａに隣接する収縮する張力を発生させない横糸１３ａは、縦糸１１ａ，１１ｃ，１１ｅ，１１ｇ，１１ｉ，１１ｋ，１１ｍ，１１ｏ，１１ｑ，１１ｓの上側に配置され、縦糸１１ｂ，１１ｄ，１１ｆ，１１ｈ，１１ｊ，１１ｌ，１１ｎ，１１ｐ，１１ｒ，１１ｔの下側に配置されている。
即ち、上記張力を発生させない横糸１３ａは、縦糸１１と上記隣接する縦糸１１との配置関係において、上記複数の縦糸１１に対して上下側に交互に交差して配置されている。
このような縦糸１１と横糸１２ａ，１３ａとの配置が、図１（ａ）に示すように、１本の横糸１２ａと１本の横糸１３ａの組み合わせにより一組の横糸３５ａとして形成され、上記一組の横糸３５ａが縦糸１１の長さ方向全域に亘って繰り返し形成されることにより、複数の縦糸１１と複数の横糸１２，１３とが交差して織り布１４が織成されている。
また、本実施例１においては、縦糸１１ｆ，１１ｏにおける横糸１３ｄ，１３ｅの配置関係において、縦糸１１ｆの上側に横糸１３ｄ，１３ｅが配置され、縦糸１１ｏの下側に横糸１３ｄ，１３ｅが配置され、上記横糸１３ｄ，１３ｅが上記縦糸１１ｆ，１１ｏに交差することにより、上記縦糸１１ｆ，１１ｏが解れないように配置されている。
また、他の実施例においては、図２（ａ）に示すように、縦糸１１と横糸１２ａ，１３ａ，１３ｂ，１３ｃとの配置が、図１（ａ）に示すように、１本の横糸１２ａと３本の横糸１３ａ、１３ｂ，１３ｃの組み合わせにより一組の横糸３５ｂとして形成され、上記一組の横糸３５ｂが縦糸１１の長さ方向全域に亘って繰り返し配置されることにより、複数の縦糸１１と複数の横糸１２，１３とが交差して織り布１４を織成することもできる。
また、本他の実施例においても上記実施例１と同様に、縦糸１１ｆ，１１ｏにおける横糸１３ｆ，１３ｇ，１３ｈの配置関係において、縦糸１１ｆの上側に横糸１３ｆ，１３ｇ，１３ｈが配置され、縦糸１１ｏの下側に横糸１３ｆ，１３ｇ，１３ｈが配置され、上記横糸１３ｆ，１３ｇ，１３ｈが上記縦糸１１ｆ，１１ｏに交差することにより、上記縦糸１１ｆ，１１ｏが解れないように配置されている。
このように上記縦糸１１と上記横糸１２，１３とが交差して配置された場合には、図１（ｂ）に示すように、上記横糸１２が上記縦糸１１に上下方向において交差せずに配置されている部位においては、上記横糸１２の互いに対向して収縮する方向に発生する張力Ｔが上記縦糸１１の径方向に対して作用しうることから、上記織り布１４の一方の面部１７に配置された複数の上記収縮する張力Ｔを発生させうる横糸１２が、上記ストレッチ糸の張力Ｔにより、上記収縮する張力Ｔを発生させうる横糸１２における上記縦糸１１に交差せずに配置された部位の中央部に配置される縦糸１１ｆ，１１ｏ方向に収縮し、図１（ｃ）に示すように、上記収縮する張力Ｔを発生させうる横糸１２に交差しない縦糸１１ｅ，１１ｆ，１１ｇ，１１ｎ，１１ｏ，１１ｐが上記織り布１４の他方の面部１８方向へ突出することによりプリーツ１９が形成される。
なお、本実施例１及び本他の実施例においては、縦糸１１ｆ，１１ｏの任意の箇所に横糸１３を交差させて、縦糸１１ｆ，１１ｏが解れないように上記横糸１３を配置しているが、上記織り布１４全体として形成された場合に、縦糸１１ｆ，１１ｏに交差させている横糸１３には長さ方向に沿って収縮する張力が発生せず、かつ、上記収縮する張力Ｔを発生させうる横糸１２の張力Ｔを上記織り布１４全体として形成された場合に減衰させない程度の距離寸法をおいて配置しているため、上記収縮する張力Ｔを発生させうる横糸１２に交差しない縦糸１１ｅ，１１ｆ，１１ｇ，１１ｎ，１１ｏ，１１ｐが上記織り布１４の他方の面部１８方向へ突出してプリーツ１９が形成されるという作用は失われない。
【００４２】
この場合、収縮する張力Ｔを発生させうる横糸１２の張力Ｔにより上記複数の縦糸１１が上記横糸１２方向に沿う方向に引き寄せられて上記折り目線部１５が形成されることから、簡易な手法により折り目線部１５の形状の崩れを招来しない耐久性を有するプリーツ織製品１０及びその織成方法を提供することができる。
また、従来のように熱可塑性を有するポリエステル繊維素材等に熱処理工程を施すことにより折り目線部を形成する方法ではないため、繊維素材を限定することなく、あらゆる繊維に適用することができる。
また、従来のプリーツ製品のような熱処理工程や薬剤処理工程を不要とすることから、生産工程を簡略化でき、製品化コストを低減できるプリーツ織製品１０及びその織成方法を提供することができる。
【００４３】
また、図１及び図２に示すように、所定の本数の上記収縮する張力Ｔを発生させうる横糸１２と、上記所定の本数の収縮する張力を発生させうる横糸１２に近接して配置された所定の本数の上記収縮する張力を発生させない横糸１３との比率において、図２（ａ）に示すような１本の横糸１２ａと３本の横糸１３ａ，１３ｂ，１３ｃにより構成される一組の横糸３５ｂにより形成された場合と比して、図１（ａ）に示すような１本の横糸１２ａと１本の横糸１３ａにより構成される一組の横糸３５ａにより形成される場合の収縮する張力Ｔを発生させうる横糸１２ａの比率が大きいことから、図１に示すような１本の横糸１２ａと１本の横糸１３ａにより構成される一組の横糸３５ａにより形成された場合、図２に示すような１本の横糸１２ａと３本の横糸１３ａにより構成される一組の横糸３５ｂにより形成される場合と比して、収縮する張力Ｔを発生させうる横糸１２の互いに対向する張力が強いため、図１（ｃ）に示すように、角度のとがった断面形状のシャープなプリーツ１９を形成することができる。
【００４４】
ここで、一組の横糸３５を構成する上記収縮する張力Ｔを発生させうる横糸１２と収縮する張力を発生させない横糸１３との本数に関する比率について考察する。
上記横糸１２，１３が全て収縮する張力Ｔを発生させうるように形成されている場合には、上記収縮する張力Ｔを発生させうる横糸１２が上記縦糸１１に上下方向において交差せずに配置されている部位において、上記縦糸１１に交差して配置されている横糸１３に対しても互いに対向して収縮する方向に張力が発生することから、折り目線部１５を良好に形成することができない。
従って、一組の横糸３５を構成する上記収縮する張力Ｔを発生させうる横糸１２と収縮する張力を発生させない横糸１３との配置本数に関しては適宜調整する必要がある。
本実施例１においては、図１に示すように、１本の横糸１２ａと１本の横糸１３ａにより構成される一組の横糸３５ａの繰り返しにより形成されている。また、図２に示すように、１本の横糸１２ａと３本の横糸１３ａ，１３ｂ，１３ｃにより構成される一組の横糸３５ｂの繰り返しにより形成することもでき、また、本実施例１に限定されることなく、例えば、１本の横糸１２と２本の横糸１３の繰り返しにより形成することもでき、この比率はプリーツ１９の形成状態により適宜調整できる。
ここで、プリーツ１９を構成する折り目線部１５の形状という観点から考察した場合、上記収縮する張力Ｔを発生させうる横糸１２の本数の比率が大きい場合には、収縮する張力Ｔを発生させうる横糸１２の互いに対向する張力が強いため、角度の小さいとがった断面形状のシャープなプリーツ１９を形成することができる。
【００４５】
また、本実施例１に係るプリーツ織製品１０は、図７（ｂ）及び図８に示すように、同一の幅寸法に形成された複数の上記折り部１６により形成されている。
上記複数の折り部１６を同一の幅寸法に形成する場合には、図１に示すような複数の縦糸１１と複数の収縮する張力Ｔを発生させうる横糸１２との配置関係において、上記折り目線部１５を介して両側に配置される上記折り部１６が幅寸法が同一になるように、複数の縦糸１１と複数の収縮Ｔする張力Ｔを発生させうる横糸１２とを配置して上記折り目線部１５を形成する。
この場合、図７及び図８に示すように、同一の幅寸法に形成された複数の折り部１６が上記折り目線部１５を介して連続して形成されることから、規則正しい等辺に形成された耐久性を有するプリーツ織製品１０及びその織成方法を提供することができる。
【実施例２】
【００４６】
また、他の実施例として、本発明に係るプリーツ織製品１０の実施例２について、上記実施例１と異なる点について図面を用いて説明する。
本実施例２に係るプリーツ織製品１０は、図３（ａ）に示すように、上記収縮する張力Ｔを発生させうる横糸１２は、上記収縮する張力を発生させない横糸１３より短い長さ寸法により形成されている。
この場合、上記収縮する張力Ｔを発生させうる横糸１２は、ストレッチ糸により形成されていないため、収縮する張力Ｔを発生させるものではないが、上記収縮する張力を発生させない横糸１３より短い長さ寸法により形成されていることから、上記複数の縦糸１１に交差させて配置させた場合に、上記収縮する張力を発生させない横糸１３と上記収縮させうる張力Ｔを発生させうる横糸１２の長さ寸法の差により、上記複数の縦糸１１を上記横糸１２，１３方向に沿う方向であって互いに対向して収縮する方向に張力Ｔを発生させて図３（ｂ）に示すような折り目線部１５を形成することができる。
具体的には、図３（ａ）に示すような収縮する張力を発生させない横糸１３と、上記収縮する張力を発生させない横糸１３より短い長さ寸法に形成された収縮する張力Ｔを発生させうる横糸１２とを、上記実施例１の場合と同様に、複数の縦糸１１と複数の横糸１２，１３とを交差させて配置することにより織成する。
そして、上記織成の完了時において、図３（ｂ）に示すように、上記収縮させない横糸１３と上記収縮する張力Ｔを発生させうる横糸１２の長さ寸法の差により、上記収縮する張力Ｔを発生させうる横糸１２には、上記横糸１２，１３方向に沿う方向に上記複数の縦糸１１を引き寄せる張力Ｔが発生するので、上記実施例１の場合と同様に、折り目線部１５が形成される。
従って、収縮する張力Ｔを発生させうる横糸１２がストレッチ糸により形成されていない場合であっても、上記収縮する張力Ｔを発生させうる横糸１２が簡易な構成からなる収縮する張力を発生させない横糸１３より短い長さ寸法により形成されることにより、簡易な構成により容易に折り目線部１５の形状の崩れを招来しない耐久性を有するプリーツ織製品１０及びその織成方法を提供することができる。
【実施例３】
【００４７】
また、他の実施例として、本発明に係るプリーツ織製品１０の実施例３について、上記実施例１及び２と異なる点について図面を用いて説明する。
本実施例３に係るプリーツ織製品１０は、図４（ａ）〜（ｃ）に示すように、上記複数の縦糸１１は、上記複数の縦糸１１の間隔寸法が近接して配置される部位２０と上記縦糸１１が配置されずに所定間隔寸法おいて配置される間隙幅部２１とを有し、上記間隙幅部２１に上記収縮する張力Ｔを発生させうる横糸１２を配置し、上記間隙幅部２１において上記収縮する張力Ｔを発生させうる横糸１２の張力Ｔにより上記折り目線部１５が形成されている。
本実施例３に係るプリーツ織製品１０は、従来から伝統的に利用されている「空羽（あきは）」という技法を用いて織成されている。
「空羽」とは、２〜数ミリ位の間隔で縦糸を通さない箇所を設け、縦糸方向に細かい透き間・筋を形成し、清涼感・透き間模様のある織物製品を織成する技法である。
本実施例３に係るプリーツ織製品１０は、図４に示すように、「空羽」に用いられる縦糸を通さない箇所２１に、ストレッチ糸や低伸度の糸により形成された収縮する張力Ｔを発生させうる横糸１２を織り込むことにより、縦糸の設けられていない箇所２１が上記横糸１２の張力Ｔにより収縮して引き寄せられて折り目線部１５が形成されるように構成されている。
【００４８】
具体的には、本実施例３に係るプリーツ織製品１０の組織構造において、例えば、図４（ａ）に示すように、縦糸を通さない箇所（１１ｅ），（１１ｆ），（１１ｏ），（１１ｐ）を設けることにより、間隙幅部２１が形成されている。
この状態において、図４（ａ）に示すプリーツ織製品１０の収縮する張力Ｔを発生させうる横糸１２ａ方向に沿った断面においては、図１（ａ）及び（ｂ）に示すように、収縮する張力Ｔを発生させうる横糸１２ａは、縦糸１１ａ，１１ｃ，１１ｈ，１１ｊ，１１ｌ，１１ｎ，１１ｑ，１１ｓの上側に配置され、縦糸１１ｂ，１１ｄ，１１ｇ，１１ｉ，１１ｋ，１１ｍ，１１ｒ，１１ｔの下側に配置されている。
また、上記収縮する張力Ｔを発生させうる横糸１２ａに隣接する収縮する張力Ｔを発生させない横糸１３ａは、縦糸１１ｂ，１１ｄ，１１ｇ，１１ｉ，１１ｋ，１１ｍ，１１ｒ，１１ｔの上側に配置され、縦糸１１ａ，１１ｃ，１１ｈ，１１ｊ，１１ｌ，１１ｎ，１１ｑ，１１ｓの下側に配置されている。
このような縦糸１１と横糸１２，１３との配置が、図４（ａ）に示すように、縦糸１１の長さ方向全域に亘って繰り返し形成されることにより、複数の縦糸１１と複数の横糸とが交差して織り布１４が織成されている。
このように上記縦糸１１と上記横糸１２，１３とが配置されることにより、上記織り布１４の一方の面部１７に配置された複数の上記横糸１２が上記ストレッチ糸の張力Ｔにより長さ方向に収縮することにより、上記間隙幅部２１において、上記収縮する張力Ｔを発生させうる横糸１２の張力Ｔにより、間隙幅部２１の両端に隣接する縦糸１１ｄ及び１１ｇ、１１ｎ及び１１ｑが互いに引き寄せられて、図４（ｃ）に示すように、折り目線部１５が形成され、交差しない縦糸１１が上記織り布１４の他方の面部１８方向へ突出することによりプリーツ１９が形成される。
この場合、間隙幅部２１に縦糸１１が配置されていないことから、上記折り目線部１５において、より上記縦糸１１ｄ及び１１ｇ，１１ｎ及び１１ｑは上記横糸１２の張力Ｔにより引き寄せられ易く、図１２に示すように、よりシャープな折り目線部１５を形成することができる。
また、本実施例３において織成されたプリーツ製品１０は、縦糸１１が配置されていない間隙幅部２１が形成されていることから、図１２に示すように、折り目線部１５において、上記間隙幅部２１に配置された収縮する張力を発生させない横糸１３が織り部１４の他方の面部１８から突出されて形成されている。
【実施例４】
【００４９】
また、他の実施例として、本発明に係るプリーツ織製品１０の実施例４について、上記実施例１〜３と異なる点について図面を用いて説明する。
本実施例４に係るプリーツ織製品１０は、図６（ｄ）に示すように、多層織りに織成された無縫製かつ無裁断に形成され、互いに対向する一対の織り布２２，２３の両端部２４，２５が開放され、一方の織り布２２は前身頃となると共に他方の織り布２３は後身頃となり、全体としてスカート２６を構成することができる。
本実施例４においては、図６に示すようなスカート２６に図７（ｂ）に示すような折り目線部１５を形成することにより、図７（ａ）に示すような折り目線部１５が形成されたプリーツスカート３２として構成することができる。
ここで、上記実施例１〜３において折り目線部１５に関する技術については説明していることから、本実施例４においては、多重織りに織成された無縫製かつ無裁断に形成されたスカート２６の構成について説明する。
図６（ａ）及び（ｂ）に示すように、本実施例に係るスカート２６は、複数の縦糸１１と複数の横糸１２を交差させることにより二重織に織成された無縫製かつ無裁断の平面方形状に形成されている。
二重織とは、従来から存する織機を用いた織成技術に関するものであり、縦糸に表に出るものと裏に出るものとの二種を用い、また、横糸も表の縦糸と組織させるものと裏の縦糸と組織させるものとの二種を用いて、表裏二重の組織に形成された織物である。
即ち、図６に示すように、織機（図示せず）にて織成された織り布２２，２３は、一方の織り布２２は前身頃となると共に、他方の織り布２３は後身頃となるように、表裏二重の組織からなる二重織に織成されている。
また、織機により織成された平面方形状のスカート２６は、互いに対向する一対の織り布２２，２３の長さ方向両端部２４，２５が開放されると共に幅方向両端部３０，３１が結合されていることにより、両端部２４，２５が環状に開放された場合には、図６（ｄ）に示すように、全体として筒状のスカート２６を構成することができる。
このように構成されたスカート２６に上記折り目線部１５を形成することにより、本実施例４に係る図７に示すようなプリーツスカート３２及びその織成方法は、耐久性を有する上記折り目線部１５が形成されていると共に二重織により形成されていることから、図７（ａ）に示すように、織り上がり段階で製品化しうる互いに対向する一対の織り布２２，２３の長さ方向両端部２４，２５が開放された筒状の無縫製かつ無裁断のプリーツスカート３２を構成することにより、裁断工程を不要として、裁断屑の発生を防止することができると共に、折り目線部１５の形状の崩れを招来しないプリーツスカート３２及びその織成方法を提供することができる。
また、プリーツスカート３２の生産工程において、裁断工程、縫製工程、熱処理工程、薬剤処理工程等が不要となるため、生産工程を簡略化することができるプリーツスカート３２及びその織成方法を提供することができる。
また、裁断屑の発生を防止できると共に生産工程を簡略化できることから、生産コスト及び廃棄物の発生量を低減化でき、省資源化及び省エネルギー化に寄与しうるプリーツスカート３２及びその織成方法を提供することができる。
【実施例５】
【００５０】
また、他の実施例として、本発明に係るプリーツ織製品１０の実施例５について、上記実施例１〜４と異なる点について図面を用いて説明する。
本実施例５に係るプリーツ織製品１０は、図９に示すように、細幅状の細幅折り部２７と、上記細幅折り部２７より幅広状に形成された広幅折り部２８とを有し、上記細幅折り部２７は上記折れ目線部１５を介して上記広幅折り部２８に連携されて織成されることによりプリーツ１９が形成されている。
ここで、細幅状の細幅折り部２７と、上記細幅折り部２７より幅広状に形成された広幅折り部２８とを形成する場合には、図１に示すような複数の縦糸１１と複数の収縮する張力Ｔを発生させうる横糸１２との配置関係において、複数の折り目線部１５の間隔寸法が細幅寸法及び広幅寸法になるように上記複数の縦糸１１と上記複数の収縮する張力Ｔを発生させうる横糸１２とを配置する。上記折り目線部１５の形成方法は、実施例１と同様である。
例えば、折り目線部１５を介して、一方側に図９に示すような細幅折り部２７を形成しうる複数の縦糸１１を配置すると共に、他方側に上記細幅折り部２７を形成しうる複数の縦糸１１より多い本数の上記広幅折り部２８を形成しうる複数の縦糸１１を配置するように上記収縮する張力Ｔを発生させうる横糸１２を配置して上記折り目線部１５を形成する。
そして、図９（ａ）に示すように、上記細幅折り部２７と上記太幅折り部２８により形成されたプリーツ１９を幅方向に沿って複数配置して環状に形成することにより、図８（ｃ）に示すような、細幅状の細幅折り部２７と、上記細幅折り部２７より幅広状に形成された広幅折り部２８とにより形成されたプリーツ１９を有するプリーツスカート３４を形成することができる。
この場合、図９（ｂ）に示すように、上記折り目線部１５に沿って折り曲げられることにより上記広幅折り部２８上に上記細幅折り部２７を重ねて配置することができることから、例えば、図９（ｃ）に示すように、プリーツスカート３４として構成した場合には、着座の際に、上記広幅折り部２８上に上記細幅折り部２７が重って配置されることにより、プリーツ１９を寝かせることができるので、上記折り目線部１５の形状の崩れをより低減させることができる耐久性を有するプリーツスカート３４及びその織成方法を提供することができる。
【実施例６】
【００５１】
また、他の実施例として、本発明に係るプリーツ織製品１０の実施例６について、上記実施例１〜５と異なる点について図面を用いて説明する。
本実施例６に係るプリーツ織製品１０は、図５（ｃ）に示すように、上記折り目線部１５が形成される部位における所定の本数の縦糸１１に任意の色彩が施されている。
具体的には、図９に示すように、縦糸１１ｅ，１１ｆ，１１ｇ，１１ｎ，１１ｏ，１１ｐには同一色からなる任意の色彩が施され、他の縦糸１１ａ，１１ｂ，１１ｃ，１１ｄ，１１ｈ，１１ｉ，１１ｊ，１１ｋ，１１ｌ，１１ｍ，１１ｑ，１１ｒ，１１ｓ，１１ｔには他の同一色からなる任意の色彩が施されている。
この場合、横糸１２の長さ方向に沿って収縮する張力Ｔを発生させうる横糸１２ａの張力Ｔにより任意の色彩が施された上記複数の縦糸１１ｅ，１１ｆ，１１ｇ，１１ｎ，１１ｏ，１１ｐが上記横糸１２方向に沿う方向に引き寄せられて上記折り目線部１５を形成することから、簡易な構成により、図１１に示すように、折り目線部１５に任意の色彩を施すことができる。
また、織成される前の縦糸１１に任意の色彩を施すことにより、折り目線部１５に任意の色彩を施すことができることから、布製品として完成後に色彩を施す場合に比して、折り目線部１５に任意の色彩を施すことができる。
従って、このように構成されたプリーツ織製品１０にあっては、例えば、カーテン等に適用した場合には、プリーツの頂部が異なった色彩を有する外観品質に優れたプリーツカーテンを提供することができる。
【００５２】
なお、上記実施例においては記載していないが、上記折り目線部１５により形成されたプリーツにおけるプリーツ角度の調整やプリーツ形状の安定性は、図４に示すような上記複数の縦糸１１が配置されていない間隙幅部２１の配置や、収縮する張力Ｔを発生させうる横糸１２のテンションや織り密度や太さ寸法等により、適宜調整することができる。
【産業上の利用可能性】
【００５３】
本発明は本発明はプリーツ織製品及びその織成方法に係り、特に、折り目線部を織成により形成することにより、折り目線部が崩れ難いプリーツ織製品及びその織成方法に広く適用できる。
【図面の簡単な説明】
【００５４】
【図１】本発明に係るプリーツ織製品の一実施の形態を示す図であり、（ａ）は平面図、（ｂ）は断面図、（ｃ）及び（ｄ）は折り目線部が形成された場合の断面図である。
【図２】本発明に係るプリーツ織製品の一実施の形態を示す図であり、（ａ）は平面図、（ｂ）は断面図、（ｃ）及び（ｄ）は折り目線部が形成された場合の断面図である。
【図３】本発明に係るプリーツ織製品の一実施の形態を示す図であり、（ａ）は断面図、（ｂ）及び（ｃ）は折り目線部が形成された場合の断面図である。
【図４】本発明に係るプリーツ織製品の一実施の形態を示す図であり、（ａ）は平面図、（ｂ）は断面図、（ｃ）及び（ｄ）は折り目線部が形成された場合の断面図である。
【図５】本発明に係るプリーツ織製品の一実施の形態を示す図であり、折り目線部に色彩が施された場合を示す図であり、（ａ）は平面図、（ｂ）は断面図、（ｃ）は折り目線部が形成された場合の断面図である。
【図６】二重織りにより織成されたスカートの一実施の形態を示す図であり、（ａ）は平面図、（ｂ）及び（ｃ）は断面図、（ｄ）はスカートとして織成された図である。
【図７】本発明に係るプリーツ織製品の一実施の形態を示す図であり、（ａ）はプリーツスカートとして織成された場合を示す図、（ｂ）はプリーツの詳細を示した図である。
【図８】本発明に係るプリーツ織製品の一実施の形態を示す図であり、カーテンとして織成された場合を示す図である。
【図９】本発明に係るプリーツ織製品の一実施の形態を示す図であり、（ａ）及び（ｂ）は断面図、（ｃ）はプリーツスカートとして織成された場合を示す図である。
【図１０】本発明に係るプリーツ織製品の織成方法の一実施の形態を示す概念図である。
【図１１】本発明に係るプリーツ織製品の一実施の形態を示す撮影した端部斜視図である。
【図１２】本発明に係るプリーツ織製品の一実施の形態を示す撮影した斜視図である。
【符号の説明】
【００５５】
１０    プリーツ織製品
１１    縦糸
１１ａ  縦糸
１１ｂ  縦糸
１１ｃ  縦糸
１１ｄ  縦糸
１１ｅ  縦糸
１１ｆ  縦糸
１１ｇ  縦糸
１１ｈ  縦糸
１１ｉ  縦糸
１１ｊ  縦糸
１１ｋ  縦糸
１１ｌ  縦糸
１１ｍ  縦糸
１１ｎ  縦糸
１１ｏ  縦糸
１１ｐ  縦糸
１１ｑ  縦糸
１１ｒ  縦糸
１１ｓ  縦糸
１１ｔ  縦糸
１２    収縮する張力を発生させうる横糸
１２ａ  収縮する張力を発生させうる横糸
１３    収縮する張力を発生させない横糸
１３ａ  収縮する張力を発生させない横糸
１３ｂ  収縮する張力を発生させない横糸
１３ｃ  収縮する張力を発生させない横糸
１３ｄ  収縮する張力を発生させない横糸
１３ｅ  収縮する張力を発生させない横糸
１３ｆ  収縮する張力を発生させない横糸
１３ｇ  収縮する張力を発生させない横糸
１３ｈ  収縮する張力を発生させない横糸
１４    織り布
１５    折り目線部
１６    折り部
１７    織り布の一方の面部
１８    織り布の他方の面部
１９    プリーツ
２０    複数の縦糸の間隔寸法が近接して配置される部位
２１    間隙幅部
２２    一方の織り布
２３    他方の織り布
２４    端部
２５    端部
２６    スカート
２７    細幅折り部
２８    広幅折り部
２９    シャトル
３０    幅方向端部
３１    幅方向端部
３２    プリーツスカート
３３    カーテン
３４    プリーツスカート
３５    一組の横糸
３５ａ  一組の横糸
３５ｂ  一組の横糸
Ｔ      張力
【図１】
2010106386.tif 000003
【図２】
2010106386.tif 000004
【図３】
2010106386.tif 000005
【図４】
2010106386.tif 000006
【図５】
2010106386.tif 000007
【図６】
2010106386.tif 000008
【図７】
2010106386.tif 000009
【図８】
2010106386.tif 000010
【図９】
2010106386.tif 000011
【図１０】
2010106386.tif 000012
【図１１】
2010106386.tif 000013
【図１２】
2010106386.tif 000014